(57)【特許請求の範囲】
【請求項１】
移動局であって、
ＣＤＭＡ−ＴＤＤ方式に基づく通信、および圧縮モードによるＣＤＭＡ−ＦＤＤ方式に基づく通信を行い、前記ＣＤＭＡ−ＦＤＤ方式に基づく通信の合間に、ＣＤＭＡ−ＴＤＤ方式に基づく信号に含まれる受信品質測定用信号を受信する通信手段と、
前記通信手段により受信した前記受信品質測定用信号の受信品質を測定するＴＤＤ品質測定手段と
を備え、前記通信手段は、前記受信品質測定用信号のサーチを、前記ＣＤＭＡ−ＴＤＤ方式に基づく信号のフレーム内でサーチを行う位置をずらしながら行い、前記受信品質測定用信号を受信し、前記ＴＤＤ品質測定手段により測定した前記受信品質の情報を送信し、前記ＣＤＭＡ−ＦＤＤ方式に基づく通信から前記ＣＤＭＡ−ＴＤＤ方式に基づく通信への切替指示を受信した場合には、該切替を行うことを特徴とする移動局。
【請求項２】
請求項１に記載の移動局であって、前記通信手段は、前記ＣＤＭＡ−ＴＤＤ方式に基づく信号について、ＣＤＭＡ−ＦＤＤ方式に基づく信号のフレーム内の所定の位置に対応する位置を最初にサーチすることを特徴とする移動局。
【請求項３】
請求項１または２に記載の移動局であって、前記通信手段は、前記受信品質測定用信号の符号に関する情報を受信し、該情報に基づいて前記受信品質測定用信号を受信することを特徴とする移動局。
【請求項４】
請求項３に記載の移動局であって、前記通信手段は、前記ＣＤＭＡ−ＴＤＤ方式に基づく信号に含まれる同期信号の符号に関する情報をさらに受信し、前記受信品質測定用信号の符号に関する情報に基づいて前記受信品質測定用信号を受信することができない場合には、前記同期信号の符号に関する情報に基づいて前記同期信号を受信することを特徴とする移動局。
【請求項５】
請求項１ないし４のいずれかに記載の移動局であって、前記通信手段は、前記受信品質測定用信号の符号に関する情報を送信することを特徴とする移動局。
【請求項６】
請求項１ないし５のいずれかに記載の移動局であって、前記通信手段は、前記受信品質測定用信号の周波数に関する情報を受信し、該情報に基づいて前記受信品質測定用信号に周波数を合わせることを特徴とする移動局。
【請求項７】
請求項１ないし６のいずれかに記載の移動局であって、前記通信手段は、サーチする周波数を変えながら前記受信品質測定用信号の周波数のサーチを行い、前記受信品質測定用信号に周波数を合わせることを特徴とする移動局。
【請求項８】
請求項１ないし７のいずれかに記載の移動局であって、前記通信手段は、前記受信品質測定用信号の周波数に関する情報を送信することを特徴とする移動局。
【請求項９】
請求項１ないし８のいずれかに記載の移動局であって、前記通信手段は、前記受信品質測定用信号のタイミングに関する情報を受信し、該情報に基づいて前記受信品質測定用信号を受信することを特徴とする移動局。
【請求項１０】
請求項１ないし９のいずれかに記載の移動局であって、前記通信手段は、前記受信品質測定用信号のタイミングに関する情報を送信することを特徴とする移動局。
【請求項１１】
請求項９または１０に記載の移動局であって、前記受信品質測定用信号のタイミングに関する情報には、前記通信の合間の設定に関する情報、および前記ＣＤＭＡ−ＴＤＤ方式に基づく信号とＣＤＭＡ−ＦＤＤ方式に基づく信号とのタイミングオフセットに関する情報のうち少なくとも１つが含まれることを特徴とする移動局。
【請求項１２】
請求項１ないし１１のいずれかに記載の移動局であって、前記通信手段が前記受信品質測定用信号を受信することによりとった同期を、前記通信手段による通信の切替まで保持することを特徴とする移動局。
【請求項１３】
請求項１ないし１２のいずれかに記載の移動局であって、前記通信手段は、前記ＣＤＭＡ−ＦＤＤ方式に基づく通信の合間に前記ＣＤＭＡ−ＴＤＤ方式に基づく信号に含まれる同期信号を受信し、次に前記受信品質測定用信号の符号を判別し、該符号に基づいて前記受信品質測定用信号を受信することを特徴とする移動局。
【請求項１４】
請求項１３に記載の移動局であって、前記通信手段は、前記同期信号の符号に関する情報を受信し、該情報に基づいて前記同期信号を受信することを特徴とする移動局。
【請求項１５】
請求項１３または１４に記載の移動局であって、前記通信手段は、前記同期信号のサーチを、該信号に用いられている可能性のある各符号について行い、前記同期信号を受信することを特徴とする移動局。
【請求項１６】
請求項１３ないし１５のいずれかに記載の移動局であって、前記通信手段は、前記同期信号の符号に関する情報を送信することを特徴とする移動局。
【請求項１７】
請求項１３ないし１６のいずれかに記載の移動局であって、前記通信手段は、前記同期信号の周波数に関する情報を受信し、該情報に基づいて前記同期信号に周波数を合わせることを特徴とする移動局。
【請求項１８】
請求項１３ないし１７のいずれかに記載の移動局であって、前記通信手段は、サーチする周波数を変えながら前記同期信号の周波数のサーチを行い、前記同期信号に周波数を合わせることを特徴とする移動局。
【請求項１９】
請求項１３ないし１８のいずれかに記載の移動局であって、前記通信手段は、前記同期信号の周波数に関する情報を送信することを特徴とする移動局。
【請求項２０】
請求項１３ないし１９のいずれかに記載の移動局であって、前記通信手段は、前記同期信号のタイミングに関する情報を受信し、該情報に基づいて前記同期信号を受信することを特徴とする移動局。
【請求項２１】
請求項１３ないし２０のいずれかに記載の移動局であって、前記通信手段は、前記同期信号のサーチを、前記ＣＤＭＡ−ＴＤＤ方式に基づく信号のフレーム内でサーチを行う位置をずらしながら行い、前記同期信号を受信することを特徴とする移動局。
【請求項２２】
請求項２１に記載の移動局であって、前記通信手段は、前記ＣＤＭＡ−ＴＤＤ方式に基づく信号について、ＣＤＭＡ−ＦＤＤ方式に基づく信号のフレーム内の所定の位置に対応する位置を最初にサーチすることを特徴とする移動局。
【請求項２３】
請求項１３ないし２２のいずれかに記載の移動局であって、前記通信手段は、前記同期信号のタイミングに関する情報を送信することを特徴とする移動局。
【請求項２４】
請求項２０または２３に記載の移動局であって、前記同期信号のタイミングに関する情報には、前記通信の合間の設定に関する情報、および前記ＣＤＭＡ−ＴＤＤ方式に基づく信号とＣＤＭＡ−ＦＤＤ方式に基づく信号とのタイミングオフセットに関する情報のうち少なくとも１つが含まれることを特徴とする移動局。
【請求項２５】
請求項１３ないし２４のいずれかに記載の移動局であって、前記通信手段が前記同期信号を受信することによりとった同期を、前記通信手段による通信の切替まで保持することを特徴とする移動局。
【請求項２６】
請求項１ないし２５のいずれかに記載の移動局であって、前記受信品質測定用信号は下り共通チャネルの信号であることを特徴とする移動局。
【請求項２７】
請求項１ないし２６のいずれかに記載の移動局であって、前記受信品質は受信レベル、受信ＳＩＲまたは誤り率であることを特徴とする移動局。
【請求項２８】
通信方法であって、
圧縮モードによるＣＤＭＡ−ＦＤＤ方式に基づく通信を行うＦＤＤ通信ステップと、
前記ＦＤＤ通信ステップによるＣＤＭＡ−ＦＤＤ方式に基づく通信の合間に、ＣＤＭＡ−ＴＤＤ方式に基づく信号に含まれる受信品質測定用信号のサーチを、前記ＣＤＭＡ−ＴＤＤ方式に基づく信号のフレーム内でサーチを行う位置をずらしながら行い、前記受信品質測定用信号を受信するＴＤＤ受信ステップと、
前記ＴＤＤ受信ステップにより受信した前記受信品質測定用信号の受信品質を測定するＴＤＤ品質測定ステップと、
前記ＦＤＤ通信ステップにより、前記ＴＤＤ品質測定ステップにより測定した前記受信品質の情報を送信するＴＤＤ品質送信ステップと、
前記ＦＤＤ通信ステップにより、前記ＣＤＭＡ−ＦＤＤ方式に基づく通信からＣＤＭＡ−ＴＤＤ方式に基づく通信への切替指示を受信した場合には、該切替を行う切替ステップと
を備えることを特徴とする通信方法。
【請求項２９】
移動局であって、
ＣＤＭＡ−ＦＤＤ方式に基づく通信、およびＣＤＭＡ−ＴＤＤ方式に基づく通信を行い、前記ＣＤＭＡ−ＴＤＤ方式に基づく通信の合間に、ＣＤＭＡ−ＦＤＤ方式に基づく信号に含まれる受信品質測定用信号を受信する通信手段と、
前記通信手段により受信した前記受信品質測定用信号の受信品質を測定するＦＤＤ品質測定手段と
を備え、前記通信手段は、前記受信品質測定用信号のサーチを、前記ＣＤＭＡ−ＦＤＤ方式に基づく信号のフレーム内でサーチを行う位置をずらしながら行い、前記受信品質測定用信号を受信し、前記ＦＤＤ品質測定手段により測定した前記受信品質の情報を送信し、前記ＣＤＭＡ−ＴＤＤ方式に基づく通信から前記ＣＤＭＡ−ＦＤＤ方式に基づく通信への切替指示を受信した場合には、該切替を行うことを特徴とする移動局。
【請求項３０】
請求項２９に記載の移動局であって、前記通信手段は、前記受信品質測定用信号の符号に関する情報を受信し、該情報に基づいて前記受信品質測定用信号を受信することを特徴とする移動局。
【請求項３１】
請求項３０に記載の移動局であって、前記通信手段は、前記ＣＤＭＡ−ＦＤＤ方式に基づく信号に含まれる同期信号の符号に関する情報をさらに受信し、前記受信品質測定用信号の符号に関する情報に基づいて前記受信品質測定用信号を受信することができない場合には、前記同期信号の符号に関する情報に基づいて前記同期信号を受信することを特徴とする移動局。
【請求項３２】
請求項２９ないし３１のいずれかに記載の移動局であって、前記通信手段は、前記受信品質測定用信号の符号に関する情報を送信することを特徴とする移動局。
【請求項３３】
請求項２９ないし３２のいずれかに記載の移動局であって、前記通信手段は、前記受信品質測定用信号の周波数に関する情報を受信し、該情報に基づいて前記受信品質測定用信号に周波数を合わせることを特徴とする移動局。
【請求項３４】
請求項２９ないし３３のいずれかに記載の移動局であって、前記通信手段は、サーチする周波数を変えながら前記受信品質測定用信号の周波数のサーチを行い、前記受信品質測定用信号に周波数を合わせることを特徴とする移動局。
【請求項３５】
請求項２９ないし３４のいずれかに記載の移動局であって、前記通信手段は、前記受信品質測定用信号の周波数に関する情報を送信することを特徴とする移動局。
【請求項３６】
請求項２９ないし３５のいずれかに記載の移動局であって、前記通信手段は、前記受信品質測定用信号のタイミングに関する情報を受信し、該情報に基づいて前記受信品質測定用信号を受信することを特徴とする移動局。
【請求項３７】
請求項２９ないし３６のいずれかに記載の移動局であって、前記通信手段は、前記受信品質測定用信号のタイミングに関する情報を送信することを特徴とする移動局。
【請求項３８】
請求項３６または３７に記載の移動局であって、前記受信品質測定用信号のタイミングに関する情報には、前記ＣＤＭＡ−ＦＤＤ方式に基づく信号とＣＤＭＡ−ＴＤＤ方式に基づく信号とのタイミングオフセットに関する情報が含まれることを特徴とする移動局。
【請求項３９】
請求項２９ないし３８のいずれかに記載の移動局であって、前記通信手段が前記受信品質測定用信号を受信することによりとった同期を、前記通信手段による通信の切替まで保持することを特徴とする移動局。
【請求項４０】
請求項２９ないし３９のいずれかに記載の移動局であって、前記通信手段は、前記ＣＤＭＡ−ＴＤＤ方式に基づく通信の合間に前記ＣＤＭＡ−ＦＤＤ方式に基づく信号に含まれる同期信号を受信し、次に前記受信品質測定用信号の符号を判別し、該符号に基づいて前記受信品質測定用信号を受信することを特徴とする移動局。
【請求項４１】
請求項４０に記載の移動局であって、前記通信手段は、前記同期信号の符号に関する情報を受信し、該情報に基づいて前記同期信号を受信することを特徴とする移動局。
【請求項４２】
請求項４０または４１に記載の移動局であって、前記通信手段は、前記同期信号のサーチを、該信号に用いられている可能性のある各符号について行い、前記同期信号を受信することを特徴とする移動局。
【請求項４３】
請求項４０ないし４２のいずれかに記載の移動局であって、前記通信手段は、前記同期信号の符号に関する情報を送信することを特徴とする移動局。
【請求項４４】
請求項４０ないし４３のいずれかに記載の移動局であって、前記通信手段は、前記同期信号の周波数に関する情報を受信し、該情報に基づいて前記同期信号に周波数を合わせることを特徴とする移動局。
【請求項４５】
請求項４０ないし４４のいずれかに記載の移動局であって、前記通信手段は、サーチする周波数を変えながら前記同期信号の周波数のサーチを行い、前記同期信号に周波数を合わせることを特徴とする移動局。
【請求項４６】
請求項４０ないし４５のいずれかに記載の移動局であって、前記通信手段は、前記同期信号の周波数に関する情報を送信することを特徴とする移動局。
【請求項４７】
請求項４０ないし４６のいずれかに記載の移動局であって、前記通信手段は、前記同期信号のタイミングに関する情報を受信し、該情報に基づいて前記同期信号を受信することを特徴とする移動局。
【請求項４８】
請求項４０ないし４７のいずれかに記載の移動局であって、前記通信手段は、前記同期信号のタイミングに関する情報を送信することを特徴とする移動局。
【請求項４９】
請求項４７または４８に記載の移動局であって、前記同期信号のタイミングに関する情報には、前記ＣＤＭＡ−ＦＤＤ方式に基づく信号とＣＤＭＡ−ＴＤＤ方式に基づく信号とのタイミングオフセットに関する情報が含まれることを特徴とする移動局。
【請求項５０】
請求項４０ないし４９のいずれかに記載の移動局であって、前記通信手段が前記同期信号を受信することによりとった同期を、前記通信手段による通信の切替まで保持することを特徴とする移動局。
【請求項５１】
請求項２９ないし５０のいずれかに記載の移動局であって、前記受信品質測定用信号は下り共通チャネルの信号であることを特徴とする移動局。
【請求項５２】
請求項２９ないし５１のいずれかに記載の移動局であって、前記受信品質は受信レベル、受信ＳＩＲまたは誤り率であることを特徴とする移動局。
【請求項５３】
通信方法であって、
ＣＤＭＡ−ＴＤＤ方式に基づく通信を行うＴＤＤ通信ステップと、
前記ＴＤＤ通信ステップによるＣＤＭＡ−ＴＤＤ方式に基づく通信の合間に、ＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信するＦＤＤ受信ステップと、
前記ＦＤＤ受信ステップにより受信した前記受信品質測定用信号の受信品質を測定するＦＤＤ品質測定ステップと、
前記ＴＤＤ通信ステップにより、前記ＦＤＤ品質測定ステップにより測定した前記受信品質の情報を送信するＦＤＤ品質送信ステップと、
前記ＴＤＤ通信ステップにより、前記ＣＤＭＡ−ＴＤＤ方式に基づく通信からＣＤＭＡ−ＦＤＤ方式に基づく通信への切替指示を受信した場合には、該切替を行う切替ステップと
を備えることを特徴とする通信方法。
【請求項５４】
移動局であって、
ＣＤＭＡ−ＴＤＤ方式に基づく通信、および圧縮モードによるＣＤＭＡ−ＦＤＤ方式に基づく通信を行い、前記ＣＤＭＡ−ＦＤＤ方式に基づく通信の合間に、ＣＤＭＡ−ＴＤＤ方式に基づく信号に含まれる受信品質測定用信号を受信し、前記ＣＤＭＡ−ＴＤＤ方式に基づく通信の合間に、ＣＤＭＡ−ＦＤＤ方式に基づく信号に含まれる受信品質測定用信号を受信する通信手段と、
前記通信手段により受信した前記ＣＤＭＡ−ＴＤＤ方式に基づく信号に含まれる受信品質測定用信号の受信品質を測定するＴＤＤ品質測定手段と、
前記通信手段により受信した前記ＣＤＭＡ−ＦＤＤ方式に基づく信号に含まれる受信品質測定用信号の受信品質を測定するＦＤＤ品質測定手段と
を備え、前記通信手段は、前記ＣＤＭＡ−ＴＤＤ方式に基づく信号に含まれる受信品質測定用信号のサーチを、前記ＣＤＭＡ−ＴＤＤ方式に基づく信号のフレーム内でサーチを行う位置をずらしながら行い、前記受信品質測定用信号を受信し、前記ＴＤＤ品質測定手段により測定した受信品質の情報を送信し、前記ＣＤＭＡ−ＦＤＤ方式に基づく通信から前記ＣＤＭＡ−ＴＤＤ方式に基づく通信への切替指示を受信した場合には、該切替を行い、前記ＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信し、前記ＦＤＤ品質測定手段により測定した受信品質の情報を送信し、前記ＣＤＭＡ−ＴＤＤ方式に基づく通信から前記ＣＤＭＡ−ＦＤＤ方式に基づく通信への切替指示を受信した場合には、該切替を行うことを特徴とする移動局。
【請求項５５】
通信方法であって、
移動局と基地局とが、圧縮モードによるＣＤＭＡ−ＦＤＤ方式に基づく通信を行うＦＤＤ通信ステップと、
前記移動局が、前記ＦＤＤ通信ステップによるＣＤＭＡ−ＦＤＤ方式に基づく通信の合間に、前記基地局が送信するＣＤＭＡ−ＴＤＤ方式に基づく信号に含まれる受信品質測定用信号のサーチを、前記ＣＤＭＡ−ＴＤＤ方式に基づく信号のフレーム内でサーチを行う位置をずらしながら行い、前記受信品質測定用信号を受信するＴＤＤ受信ステップと、
前記移動局が、前記ＴＤＤ受信ステップにより受信した前記受信品質測定用信号の受信品質を測定するＴＤＤ品質測定ステップと、
前記移動局が、前記ＦＤＤ通信ステップにより、前記ＴＤＤ品質測定ステップにより測定した前記受信品質の情報を前記基地局に送信するＴＤＤ品質送信ステップと、
前記受信品質が所定の条件を満たす場合には、前記基地局が、前記ＦＤＤ通信ステップにより、ＣＤＭＡ−ＦＤＤ方式に基づく通信からＣＤＭＡ−ＴＤＤ方式に基づく通信に切り替えるようにとの指示を前記移動局に送信する切替指示ステップと、
前記移動局が、前記ＦＤＤ通信ステップにより、前記ＣＤＭＡ−ＦＤＤ方式に基づく通信からＣＤＭＡ−ＴＤＤ方式に基づく通信への切替指示を受信した場合には、該切替を行う切替ステップと
を備えることを特徴とする通信方法。
【請求項５６】
通信方法であって、
移動局と基地局とが、ＣＤＭＡ−ＴＤＤ方式に基づく通信を行うＴＤＤ通信ステップと、
前記移動局が、前記ＴＤＤ通信ステップによるＣＤＭＡ−ＴＤＤ方式に基づく通信の合間に、前記基地局が送信するＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信するＦＤＤ受信ステップと、
前記移動局が、前記ＦＤＤ受信ステップにより受信した前記受信品質測定用信号の受信品質を測定するＦＤＤ品質測定ステップと、
前記移動局が、前記ＴＤＤ通信ステップにより、前記ＦＤＤ品質測定ステップにより測定した前記受信品質の情報を前記基地局に送信するＦＤＤ品質送信ステップと、
前記受信品質が所定の条件を満たす場合には、前記基地局が、前記ＴＤＤ通信ステップにより、ＣＤＭＡ−ＴＤＤ方式に基づく通信からＣＤＭＡ−ＦＤＤ方式に基づく通信に切り替えるようにとの指示を前記移動局に送信する切替指示ステップと、
前記移動局が、前記ＴＤＤ通信ステップにより、前記ＣＤＭＡ−ＴＤＤ方式に基づく通信からＣＤＭＡ−ＦＤＤ方式に基づく通信への切替指示を受信した場合には、該切替を行う切替ステップと
を備えることを特徴とする通信方法。
【発明の詳細な説明】
【０００１】
【発明の属する技術分野】
本発明は、移動局、基地局および通信方法に関し、より具体的には、移動通信システムにおいて、ＣＤＭＡ−ＦＤＤ方式に基づくサービスエリアのチャネルと、ＣＤＭＡ−ＴＤＤ方式に基づくサービスエリアのチャネルとの間の適切な切替（ハンドオーバ）処理を実現する移動局、基地局および通信方法に関する。
【０００２】
【従来の技術】
従来、２種類以上のエアインタフェースで同一のサービスを提供する例はなかった。
【０００３】
一方、移動通信等に用いられるＣＤＭＡ(Code Division Multiple Access)方式には、例えばＩＭＴ−２０００において検討されているように、ＣＤＭＡ−ＦＤＤ(Frequency Division Duplex)方式、およびＣＤＭＡ−ＴＤＤ(Time Division Duplex)方式が含まれる。
【０００４】
【発明が解決しようとする課題】
そこで、上述したＣＤＭＡ−ＦＤＤ方式、およびＣＤＭＡ−ＴＤＤ方式の双方を用いてサービスを提供することが考えられる。
【０００５】
図１は、移動通信システムの例を示す図である。図１の例では、各基地局がＣＤＭＡ−ＦＤＤ方式、およびＣＤＭＡ−ＴＤＤ方式の双方により同一のサービスを提供している。
【０００６】
また、図１の例では、各基地局につき、ＣＤＭＡ−ＦＤＤ方式に基づくサービスエリア（セル）、およびＣＤＭＡ−ＴＤＤ方式に基づくサービスエリア（セル）をそれぞれ１つずつ設けている。ただし、例えば、セルを複数のセクタに分割して、１つの基地局が各方式につき、複数のサービスエリア（セクタ）を有するようにすることもできる。図３の例では、セル６０を６つのセクタ６１〜６６に分割している。
【０００７】
図１の例において、基地局２１は、ＣＤＭＡ−ＴＤＤ方式に基づくサービスエリア３１、およびＣＤＭＡ−ＦＤＤ方式に基づくサービスエリア４１を有する。また、基地局２２は、ＣＤＭＡ−ＴＤＤ方式に基づくサービスエリア３２、およびＣＤＭＡ−ＦＤＤ方式に基づくサービスエリア４２を有する。また、基地局２３は、ＣＤＭＡ−ＴＤＤ方式に基づくサービスエリア３３、およびＣＤＭＡ−ＦＤＤ方式に基づくサービスエリア４３を有する。移動局１１は、例えば、図１に示すように、ＣＤＭＡ−ＴＤＤ方式に基づくサービスエリア（サービスエリア３１）およびＣＤＭＡ−ＦＤＤ方式に基づくサービスエリア（サービスエリア４１）の双方に在圏するときは、基地局（基地局２１）と、ＣＤＭＡ−ＴＤＤ方式またはＣＤＭＡ−ＦＤＤ方式のいずれかに基づく無線通信を行うことができる。
【０００８】
制御局５１は、各基地局を制御し、移動局と基地局との間の無線通信に用いるチャネルの管理を行っている。すなわち、制御局５１は、現在のチャネルの状態（各サービスエリアで用いられているチャネル、空きチャネルの状態等）を把握し、管理を行っている。そして、チャネル割当要求があると、現在のチャネルの状態を考慮して、チャネル割当てを行う。チャネルの割当要求は、サービスエリアで呼が生起したとき、他のサービスエリアから自サービスエリアへハンドオーバ呼が入ってきたとき等に発生する。
【０００９】
サービスエリアの大きさ（広さ）については、ＣＤＭＡ−ＴＤＤ方式では、送信時間がスロットに分割されるため、送信電力をＦＤＤと同程度に設定すると、一般的には、図１に示すように、ＣＤＭＡ−ＦＤＤ方式に基づくサービスエリアの方がＣＤＭＡ−ＴＤＤ方式に基づくサービスエリアよりも大きくなる。都心部等で、ＣＤＭＡ−ＦＤＤ方式のサービスエリアを故意に小さくしている場合は、ＦＤＤのサービスエリアとＴＤＤのサービスエリアがほぼ一致する場合や、逆にＴＤＤのサービスエリアの方が広くなる場合もある。
【００１０】
図２は、移動通信システムの別の例を示す図である。図２は、ＣＤＭＡ−ＦＤＤ方式によるサービスを提供する基地局と、ＣＤＭＡ−ＴＤＤ方式による同一のサービスを提供する基地局とが分かれている場合の例である。
【００１１】
図２の例では、各基地局につき１つのサービスエリア（セル）を設けている。ただし、例えば、セルを複数のセクタに分割して、１つの基地局が複数のサービスエリア（セクタ）を有するようにすることもできる。
【００１２】
図２の例において、基地局２４はＣＤＭＡ−ＴＤＤ方式に基づくサービスエリア３４を有し、基地局２５はＣＤＭＡ−ＴＤＤ方式に基づくサービスエリア３５を有し、基地局２６はＣＤＭＡ−ＦＤＤ方式に基づくサービスエリア４６を有する。移動局１２は、例えば、図２に示すように、ＣＤＭＡ−ＴＤＤ方式に基づくサービスエリア（サービスエリア３４）およびＣＤＭＡ−ＦＤＤ方式に基づくサービスエリア（サービスエリア４６）の双方に在圏するときは、基地局（基地局２４または基地局２６）と、ＣＤＭＡ−ＴＤＤ方式またはＣＤＭＡ−ＦＤＤ方式のいずれかに基づく通信を行うことができる。
【００１３】
制御局５２は、各基地局を制御し、移動局と基地局との間の無線通信に用いるチャネルの管理を行っている。そして、チャネル割当要求があると、現在のチャネルの状態を考慮して、チャネル割当てを行う。
【００１４】
このような移動通信システムにおいて、ＣＤＭＡ−ＦＤＤ方式に基づくサービスエリアのチャネルと、ＣＤＭＡ−ＴＤＤ方式に基づくサービスエリアのチャネルとの間の適切な切替（ハンドオーバ）処理を実現することが望まれる。
【００１５】
そこで、本発明の目的は、移動通信システムにおいて、ＣＤＭＡ−ＦＤＤ方式に基づくサービスエリアのチャネルと、ＣＤＭＡ−ＴＤＤ方式に基づくサービスエリアのチャネルとの間の適切な切替（ハンドオーバ）処理を実現することである。
【００１６】
【課題を解決するための手段】
上記目的を達成するために、請求項１に記載の発明は、移動局であって、ＣＤＭＡ−ＴＤＤ方式に基づく通信、および圧縮モードによるＣＤＭＡ−ＦＤＤ方式に基づく通信を行い、前記ＣＤＭＡ−ＦＤＤ方式に基づく通信の合間に、ＣＤＭＡ−ＴＤＤ方式に基づく信号に含まれる受信品質測定用信号を受信する通信手段と、前記通信手段により受信した前記受信品質測定用信号の受信品質を測定するＴＤＤ品質測定手段とを備え、前記通信手段は、前記受信品質測定用信号のサーチを、前記ＣＤＭＡ−ＴＤＤ方式に基づく信号のフレーム内でサーチを行う位置をずらしながら行い、前記受信品質測定用信号を受信し、前記ＴＤＤ品質測定手段により測定した前記受信品質の情報を送信し、前記ＣＤＭＡ−ＦＤＤ方式に基づく通信から前記ＣＤＭＡ−ＴＤＤ方式に基づく通信への切替指示を受信した場合には、該切替を行うことを特徴とする。
【００１７】
請求項２に記載の発明は、請求項１に記載の移動局であって、前記通信手段は、前記ＣＤＭＡ−ＴＤＤ方式に基づく信号について、ＣＤＭＡ−ＦＤＤ方式に基づく信号のフレーム内の所定の位置に対応する位置を最初にサーチすることを特徴とする。
請求項３に記載の発明は、請求項１または２に記載の移動局であって、前記通信手段は、前記受信品質測定用信号の符号に関する情報を受信し、該情報に基づいて前記受信品質測定用信号を受信することを特徴とする。
【００１８】
請求項４に記載の発明は、請求項３に記載の移動局であって、前記通信手段は、前記ＣＤＭＡ−ＴＤＤ方式に基づく信号に含まれる同期信号の符号に関する情報をさらに受信し、前記受信品質測定用信号の符号に関する情報に基づいて前記受信品質測定用信号を受信することができない場合には、前記同期信号の符号に関する情報に基づいて前記同期信号を受信することを特徴とする。
【００１９】
請求項５に記載の発明は、請求項１ないし４のいずれかに記載の移動局であって、前記通信手段は、前記受信品質測定用信号の符号に関する情報を送信することを特徴とする。
【００２０】
請求項６に記載の発明は、請求項１ないし５のいずれかに記載の移動局であって、前記通信手段は、前記受信品質測定用信号の周波数に関する情報を受信し、該情報に基づいて前記受信品質測定用信号に周波数を合わせることを特徴とする。
【００２１】
請求項７に記載の発明は、請求項１ないし６のいずれかに記載の移動局であって、前記通信手段は、サーチする周波数を変えながら前記受信品質測定用信号の周波数のサーチを行い、前記受信品質測定用信号に周波数を合わせることを特徴とする。
【００２２】
請求項８に記載の発明は、請求項１ないし７のいずれかに記載の移動局であって、前記通信手段は、前記受信品質測定用信号の周波数に関する情報を送信することを特徴とする。
【００２３】
請求項９に記載の発明は、請求項１ないし８のいずれかに記載の移動局であって、前記通信手段は、前記受信品質測定用信号のタイミングに関する情報を受信し、該情報に基づいて前記受信品質測定用信号を受信することを特徴とする。
【００２６】
請求項１０に記載の発明は、請求項１ないし９のいずれかに記載の移動局であって、前記通信手段は、前記受信品質測定用信号のタイミングに関する情報を送信することを特徴とする。
【００２７】
請求項１１に記載の発明は、請求項９または１０に記載の移動局であって、前記受信品質測定用信号のタイミングに関する情報には、前記通信の合間の設定に関する情報、および前記ＣＤＭＡ−ＴＤＤ方式に基づく信号とＣＤＭＡ−ＦＤＤ方式に基づく信号とのタイミングオフセットに関する情報のうち少なくとも１つが含まれることを特徴とする。
【００２８】
請求項１２に記載の発明は、請求項１ないし１１のいずれかに記載の移動局であって、前記通信手段が前記受信品質測定用信号を受信することによりとった同期を、前記通信手段による通信の切替まで保持することを特徴とする。
【００２９】
請求項１３に記載の発明は、請求項１ないし１２のいずれかに記載の移動局であって、前記通信手段は、前記ＣＤＭＡ−ＦＤＤ方式に基づく通信の合間に前記ＣＤＭＡ−ＴＤＤ方式に基づく信号に含まれる同期信号を受信し、次に前記受信品質測定用信号の符号を判別し、該符号に基づいて前記受信品質測定用信号を受信することを特徴とする。
【００３０】
請求項１４に記載の発明は、請求項１３に記載の移動局であって、前記通信手段は、前記同期信号の符号に関する情報を受信し、該情報に基づいて前記同期信号を受信することを特徴とする。
【００３１】
請求項１５に記載の発明は、請求項１３または１４に記載の移動局であって、前記通信手段は、前記同期信号のサーチを、該信号に用いられている可能性のある各符号について行い、前記同期信号を受信することを特徴とする。
【００３２】
請求項１６に記載の発明は、請求項１３ないし１５のいずれかに記載の移動局であって、前記通信手段は、前記同期信号の符号に関する情報を送信することを特徴とする。
【００３３】
請求項１７に記載の発明は、請求項１３ないし１６のいずれかに記載の移動局であって、前記通信手段は、前記同期信号の周波数に関する情報を受信し、該情報に基づいて前記同期信号に周波数を合わせることを特徴とする。
【００３４】
請求項１８に記載の発明は、請求項１３ないし１７のいずれかに記載の移動局であって、前記通信手段は、サーチする周波数を変えながら前記同期信号の周波数のサーチを行い、前記同期信号に周波数を合わせることを特徴とする。
【００３５】
請求項１９に記載の発明は、請求項１３ないし１８のいずれかに記載の移動局であって、前記通信手段は、前記同期信号の周波数に関する情報を送信することを特徴とする。
【００３６】
請求項２０に記載の発明は、請求項１３ないし１９のいずれかに記載の移動局であって、前記通信手段は、前記同期信号のタイミングに関する情報を受信し、該情報に基づいて前記同期信号を受信することを特徴とする。
【００３７】
請求項２１に記載の発明は、請求項１３ないし２０のいずれかに記載の移動局であって、前記通信手段は、前記同期信号のサーチを、前記ＣＤＭＡ−ＴＤＤ方式に基づく信号のフレーム内でサーチを行う位置をずらしながら行い、前記同期信号を受信することを特徴とする。
【００３８】
請求項２２に記載の発明は、請求項２１に記載の移動局であって、前記通信手段は、前記ＣＤＭＡ−ＴＤＤ方式に基づく信号について、ＣＤＭＡ−ＦＤＤ方式に基づく信号のフレーム内の所定の位置に対応する位置を最初にサーチすることを特徴とする。
【００３９】
請求項２３に記載の発明は、請求項１３ないし２２のいずれかに記載の移動局であって、前記通信手段は、前記同期信号のタイミングに関する情報を送信することを特徴とする。
【００４０】
請求項２４に記載の発明は、請求項２０または２３に記載の移動局であって、前記同期信号のタイミングに関する情報には、前記通信の合間の設定に関する情報、および前記ＣＤＭＡ−ＴＤＤ方式に基づく信号とＣＤＭＡ−ＦＤＤ方式に基づく信号とのタイミングオフセットに関する情報のうち少なくとも１つが含まれることを特徴とする。
【００４１】
請求項２５に記載の発明は、請求項１３ないし２４のいずれかに記載の移動局であって、前記通信手段が前記同期信号を受信することによりとった同期を、前記通信手段による通信の切替まで保持することを特徴とする。
【００４２】
請求項２６に記載の発明は、請求項１ないし２５のいずれかに記載の移動局であって、前記受信品質測定用信号は下り共通チャネルの信号であることを特徴とする。
【００４３】
請求項２７に記載の発明は、請求項１ないし２６のいずれかに記載の移動局であって、前記受信品質は受信レベル、受信ＳＩＲまたは誤り率であることを特徴とする。
【００６８】
請求項２８に記載の発明は、通信方法であって、圧縮モードによるＣＤＭＡ−ＦＤＤ方式に基づく通信を行うＦＤＤ通信ステップと、前記ＦＤＤ通信ステップによるＣＤＭＡ−ＦＤＤ方式に基づく通信の合間に、ＣＤＭＡ−ＴＤＤ方式に基づく信号に含まれる受信品質測定用信号を受信するＴＤＤ受信ステップと、前記ＴＤＤ受信ステップにより受信した前記受信品質測定用信号の受信品質を測定するＴＤＤ品質測定ステップと、前記ＦＤＤ通信ステップにより、前記ＴＤＤ品質測定ステップにより測定した前記受信品質の情報を送信するＴＤＤ品質送信ステップと、前記ＦＤＤ通信ステップにより、前記ＣＤＭＡ−ＦＤＤ方式に基づく通信からＣＤＭＡ−ＴＤＤ方式に基づく通信への切替指示を受信した場合には、該切替を行う切替ステップとを備えることを特徴とする。
【００７０】
請求項２９に記載の発明は、移動局であって、ＣＤＭＡ−ＦＤＤ方式に基づく通信、およびＣＤＭＡ−ＴＤＤ方式に基づく通信を行い、前記ＣＤＭＡ−ＴＤＤ方式に基づく通信の合間に、ＣＤＭＡ−ＦＤＤ方式に基づく信号に含まれる受信品質測定用信号を受信する通信手段と、前記通信手段により受信した前記受信品質測定用信号の受信品質を測定するＦＤＤ品質測定手段とを備え、前記通信手段は、前記受信品質測定用信号のサーチを、前記ＣＤＭＡ−ＦＤＤ方式に基づく信号のフレーム内でサーチを行う位置をずらしながら行い、前記受信品質測定用信号を受信し、前記ＦＤＤ品質測定手段により測定した前記受信品質の情報を送信し、前記ＣＤＭＡ−ＴＤＤ方式に基づく通信から前記ＣＤＭＡ−ＦＤＤ方式に基づく通信への切替指示を受信した場合には、該切替を行うことを特徴とする。
【００７１】
請求項３０に記載の発明は、請求項２９に記載の移動局であって、前記通信手段は、前記受信品質測定用信号の符号に関する情報を受信し、該情報に基づいて前記受信品質測定用信号を受信することを特徴とする。
【００７２】
請求項３１に記載の発明は、請求項３０に記載の移動局であって、前記通信手段は、前記ＣＤＭＡ−ＦＤＤ方式に基づく信号に含まれる同期信号の符号に関する情報をさらに受信し、前記受信品質測定用信号の符号に関する情報に基づいて前記受信品質測定用信号を受信することができない場合には、前記同期信号の符号に関する情報に基づいて前記同期信号を受信することを特徴とする。
【００７３】
請求項３２に記載の発明は、請求項２９ないし３１のいずれかに記載の移動局であって、前記通信手段は、前記受信品質測定用信号の符号に関する情報を送信することを特徴とする。
【００７４】
請求項３３に記載の発明は、請求項２９ないし３２のいずれかに記載の移動局であって、前記通信手段は、前記受信品質測定用信号の周波数に関する情報を受信し、該情報に基づいて前記受信品質測定用信号に周波数を合わせることを特徴とする。
【００７５】
請求項３４に記載の発明は、請求項２９ないし３３のいずれかに記載の移動局であって、前記通信手段は、サーチする周波数を変えながら前記受信品質測定用信号の周波数のサーチを行い、前記受信品質測定用信号に周波数を合わせることを特徴とする。
【００７６】
請求項３５に記載の発明は、請求項２９ないし３４のいずれかに記載の移動局であって、前記通信手段は、前記受信品質測定用信号の周波数に関する情報を送信することを特徴とする。
【００７７】
請求項３６に記載の発明は、請求項２９ないし３５のいずれかに記載の移動局であって、前記通信手段は、前記受信品質測定用信号のタイミングに関する情報を受信し、該情報に基づいて前記受信品質測定用信号を受信することを特徴とする。
【００７８】
請求項３７に記載の発明は、請求項２９ないし３６のいずれかに記載の移動局であって、前記通信手段は、前記受信品質測定用信号のタイミングに関する情報を送信することを特徴とする。
【００７９】
請求項３８に記載の発明は、請求項３６または３７に記載の移動局であって、前記受信品質測定用信号のタイミングに関する情報には、前記ＣＤＭＡ−ＦＤＤ方式に基づく信号とＣＤＭＡ−ＴＤＤ方式に基づく信号とのタイミングオフセットに関する情報が含まれることを特徴とする。
【００８０】
請求項３９に記載の発明は、請求項２９ないし３８のいずれかに記載の移動局であって、前記通信手段が前記受信品質測定用信号を受信することによりとった同期を、前記通信手段による通信の切替まで保持することを特徴とする。
【００８１】
請求項４０に記載の発明は、請求項２９ないし３９のいずれかに記載の移動局であって、前記通信手段は、前記ＣＤＭＡ−ＴＤＤ方式に基づく通信の合間に前記ＣＤＭＡ−ＦＤＤ方式に基づく信号に含まれる同期信号を受信し、次に前記受信品質測定用信号の符号を判別し、該符号に基づいて前記受信品質測定用信号を受信することを特徴とする。
【００８２】
請求項４１に記載の発明は、請求項４０に記載の移動局であって、前記通信手段は、前記同期信号の符号に関する情報を受信し、該情報に基づいて前記同期信号を受信することを特徴とする。
【００８３】
請求項４２に記載の発明は、請求項４０または４１に記載の移動局であって、前記通信手段は、前記同期信号のサーチを、該信号に用いられている可能性のある各符号について行い、前記同期信号を受信することを特徴とする。
【００８４】
請求項４３に記載の発明は、請求項４０ないし４２のいずれかに記載の移動局であって、前記通信手段は、前記同期信号の符号に関する情報を送信することを特徴とする。
【００８５】
請求項４４に記載の発明は、請求項４０ないし４３のいずれかに記載の移動局であって、前記通信手段は、前記同期信号の周波数に関する情報を受信し、該情報に基づいて前記同期信号に周波数を合わせることを特徴とする。
【００８６】
請求項４５に記載の発明は、請求項４０ないし４４のいずれかに記載の移動局であって、前記通信手段は、サーチする周波数を変えながら前記同期信号の周波数のサーチを行い、前記同期信号に周波数を合わせることを特徴とする。
【００８７】
請求項４６に記載の発明は、請求項４０ないし４５のいずれかに記載の移動局であって、前記通信手段は、前記同期信号の周波数に関する情報を送信することを特徴とする。
【００８８】
請求項４７に記載の発明は、請求項４０ないし４６のいずれかに記載の移動局であって、前記通信手段は、前記同期信号のタイミングに関する情報を受信し、該情報に基づいて前記同期信号を受信することを特徴とする。
【００８９】
請求項４８に記載の発明は、請求項４０ないし４７のいずれかに記載の移動局であって、前記通信手段は、前記同期信号のタイミングに関する情報を送信することを特徴とする。
【００９０】
請求項４９に記載の発明は、請求項４７または４８に記載の移動局であって、前記同期信号のタイミングに関する情報には、前記ＣＤＭＡ−ＦＤＤ方式に基づく信号とＣＤＭＡ−ＴＤＤ方式に基づく信号とのタイミングオフセットに関する情報が含まれることを特徴とする。
【００９１】
請求項５０に記載の発明は、請求項４０ないし４９のいずれかに記載の移動局であって、前記通信手段が前記同期信号を受信することによりとった同期を、前記通信手段による通信の切替まで保持することを特徴とする。
【００９２】
請求項５１に記載の発明は、請求項２９ないし５０のいずれかに記載の移動局であって、前記受信品質測定用信号は下り共通チャネルの信号であることを特徴とする。
【００９３】
請求項５２に記載の発明は、請求項２９ないし５１のいずれかに記載の移動局であって、前記受信品質は受信レベル、受信ＳＩＲまたは誤り率であることを特徴とする。
【０１１８】
請求項５３に記載の発明は、通信方法であって、ＣＤＭＡ−ＴＤＤ方式に基づく通信を行うＴＤＤ通信ステップと、前記ＴＤＤ通信ステップによるＣＤＭＡ−ＴＤＤ方式に基づく通信の合間に、ＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信するＦＤＤ受信ステップと、前記ＦＤＤ受信ステップにより受信した前記受信品質測定用信号の受信品質を測定するＦＤＤ品質測定ステップと、前記ＴＤＤ通信ステップにより、前記ＦＤＤ品質測定ステップにより測定した前記受信品質の情報を送信するＦＤＤ品質送信ステップと、前記ＴＤＤ通信ステップにより、前記ＣＤＭＡ−ＴＤＤ方式に基づく通信からＣＤＭＡ−ＦＤＤ方式に基づく通信への切替指示を受信した場合には、該切替を行う切替ステップとを備えることを特徴とする。
【０１２０】
請求項５４に記載の発明は、移動局であって、ＣＤＭＡ−ＴＤＤ方式に基づく通信、および圧縮モードによるＣＤＭＡ−ＦＤＤ方式に基づく通信を行い、前記ＣＤＭＡ−ＦＤＤ方式に基づく通信の合間に、ＣＤＭＡ−ＴＤＤ方式に基づく信号に含まれる受信品質測定用信号を受信し、前記ＣＤＭＡ−ＴＤＤ方式に基づく通信の合間に、ＣＤＭＡ−ＦＤＤ方式に基づく信号に含まれる受信品質測定用信号を受信する通信手段と、前記通信手段により受信した前記ＣＤＭＡ−ＴＤＤ方式に基づく信号に含まれる受信品質測定用信号の受信品質を測定するＴＤＤ品質測定手段と、前記通信手段により受信した前記ＣＤＭＡ−ＦＤＤ方式に基づく信号に含まれる受信品質測定用信号の受信品質を測定するＦＤＤ品質測定手段とを備え、前記通信手段は、前記ＣＤＭＡ−ＴＤＤ方式に基づく信号に含まれる受信品質測定用信号のサーチを、前記ＣＤＭＡ−ＴＤＤ方式に基づく信号のフレーム内でサーチを行う位置をずらしながら行い、前記受信品質測定用信号を受信し、前記ＴＤＤ品質測定手段により測定した受信品質の情報を送信し、前記ＣＤＭＡ−ＦＤＤ方式に基づく通信から前記ＣＤＭＡ−ＴＤＤ方式に基づく通信への切替指示を受信した場合には、該切替を行い、前記ＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信し、前記ＦＤＤ品質測定手段により測定した受信品質の情報を送信し、前記ＣＤＭＡ−ＴＤＤ方式に基づく通信から前記ＣＤＭＡ−ＦＤＤ方式に基づく通信への切替指示を受信した場合には、該切替を行うことを特徴とする。
【０１２２】
請求項５５に記載の発明は、通信方法であって、移動局と基地局とが、圧縮モードによるＣＤＭＡ−ＦＤＤ方式に基づく通信を行うＦＤＤ通信ステップと、前記移動局が、前記ＦＤＤ通信ステップによるＣＤＭＡ−ＦＤＤ方式に基づく通信の合間に、前記基地局が送信するＣＤＭＡ−ＴＤＤ方式に基づく信号に含まれる受信品質測定用信号のサーチを、前記ＣＤＭＡ−ＴＤＤ方式に基づく信号のフレーム内でサーチを行う位置をずらしながら行い、前記受信品質測定用信号を受信するＴＤＤ受信ステップと、前記移動局が、前記ＴＤＤ受信ステップにより受信した前記受信品質測定用信号の受信品質を測定するＴＤＤ品質測定ステップと、前記移動局が、前記ＦＤＤ通信ステップにより、前記ＴＤＤ品質測定ステップにより測定した前記受信品質の情報を前記基地局に送信するＴＤＤ品質送信ステップと、前記受信品質が所定の条件を満たす場合には、前記基地局が、前記ＦＤＤ通信ステップにより、ＣＤＭＡ−ＦＤＤ方式に基づく通信からＣＤＭＡ−ＴＤＤ方式に基づく通信に切り替えるようにとの指示を前記移動局に送信する切替指示ステップと、前記移動局が、前記ＦＤＤ通信ステップにより、前記ＣＤＭＡ−ＦＤＤ方式に基づく通信からＣＤＭＡ−ＴＤＤ方式に基づく通信への切替指示を受信した場合には、該切替を行う切替ステップとを備えることを特徴とする。
【０１２３】
請求項５６に記載の発明は、通信方法であって、移動局と基地局とが、ＣＤＭＡ−ＴＤＤ方式に基づく通信を行うＴＤＤ通信ステップと、前記移動局が、前記ＴＤＤ通信ステップによるＣＤＭＡ−ＴＤＤ方式に基づく通信の合間に、前記基地局が送信するＣＤＭＡ−ＦＤＤ方式に基づく信号に含まれる受信品質測定用信号のサーチを、前記ＣＤＭＡ−ＦＤＤ方式に基づく信号のフレーム内でサーチを行う位置をずらしながら行い、前記受信品質測定用信号を受信するＦＤＤ受信ステップと、前記移動局が、前記ＦＤＤ受信ステップにより受信した前記受信品質測定用信号の受信品質を測定するＦＤＤ品質測定ステップと、前記移動局が、前記ＴＤＤ通信ステップにより、前記ＦＤＤ品質測定ステップにより測定した前記受信品質の情報を前記基地局に送信するＦＤＤ品質送信ステップと、前記受信品質が所定の条件を満たす場合には、前記基地局が、前記ＴＤＤ通信ステップにより、ＣＤＭＡ−ＴＤＤ方式に基づく通信からＣＤＭＡ−ＦＤＤ方式に基づく通信に切り替えるようにとの指示を前記移動局に送信する切替指示ステップと、前記移動局が、前記ＴＤＤ通信ステップにより、前記ＣＤＭＡ−ＴＤＤ方式に基づく通信からＣＤＭＡ−ＦＤＤ方式に基づく通信への切替指示を受信した場合には、該切替を行う切替ステップとを備えることを特徴とする。
【０１２４】
以上の構成によれば、移動通信システムにおいて、ＣＤＭＡ−ＦＤＤ方式に基づくサービスエリアのチャネルと、ＣＤＭＡ−ＴＤＤ方式に基づくサービスエリアのチャネルとの間の適切な切替（ハンドオーバ）処理を実現することができる。
【０１２５】
【発明の実施の形態】
以下、図面を参照しつつ本発明の実施の形態について詳しく説明する。以下、ＣＤＭＡ−ＦＤＤ方式、およびＣＤＭＡ−ＴＤＤ方式の双方によりサービスを提供する基地局をデュアル基地局（例えば、図１の基地局２１〜２３）、ＣＤＭＡ−ＦＤＤ方式、またはＣＤＭＡ−ＴＤＤ方式の一方によりサービスを提供する基地局を個別基地局（例えば、図２の基地局２４〜２６）という。
【０１２６】
図４は、移動局の構成例を示すブロック図である。図４に示す移動局１１０は、制御部１１１、記憶部１１２、通信部１１３、アンテナ１１５、およびレベル測定部１１６を備える。制御部１１１は各種の制御を行う。制御部１１１は、通信部１１３およびアンテナ１１５を介して基地局と、ＣＤＭＡ−ＦＤＤ方式に基づく通信、およびＣＤＭＡ−ＴＤＤ方式に基づく通信の双方を行うことができる。通信を行う際、制御部１１１は、信号の符号、周波数、タイミング等に関して、通信部１１３を制御する。受信品質測定部１１６は、受信した信号の受信品質（例えば、受信レベル）を測定し、制御部１１１に報告する。記憶部１１２には、各種の情報が記憶される。
【０１２７】
図５は、基地局の構成例を示すブロック図である。図５に示す基地局１２０は、制御部１２１、記憶部１２２、通信部１２３、１２４、およびアンテナ１２５を備える。制御部１２１は各種の制御を行う。制御部１２１は、通信部１２３およびアンテナ１２５を介して移動局と通信を行うことができる。移動局との通信は、ＣＤＭＡ−ＦＤＤ方式に基づく通信のみ行えるものとしてもよいし、ＣＤＭＡ−ＴＤＤ方式に基づく通信のみ行えるものとしてもよいし、両通信を行えるものとしてもよい。また、制御部１２１は、通信部１２４を介して制御局と通信を行うことができる。記憶部１１２には、各種の情報が記憶される。デュアル基地局および個別基地局の双方とも、図５に示す構成をとることができる。
【０１２８】
図６は、ＣＤＭＡ−ＦＤＤ方式に基づく通信からＣＤＭＡ−ＴＤＤ方式に基づく通信に切り替える場合の、デュアル基地局と移動局との間のやりとりの例を示す図である。
【０１２９】
今、デュアル基地局と移動局とがＣＤＭＡ−ＦＤＤ方式に基づく通信を行っているものとする。デュアル基地局は、随時、ＣＤＭＡ−ＴＤＤ方式に基づく信号の送信も行っており、その中には下り共通チャネルが含まれる。
【０１３０】
図７は、デュアル基地局が送信するＣＤＭＡ−ＴＤＤ方式に基づく下り共通チャネルの例を示す図である。本実施形態において、デュアル基地局は、ＣＤＭＡ−ＴＤＤ方式に基づく下り共通チャネルとして、同期チャネル（ＳＣＨ：Synchronization CHannel）、および共通制御チャネル（ＣＣＰＣＨ：Common Control Physical CHannel）を送信している。移動局は、これらの下り共通チャネルを受信して、下り信号の同期をとり、拡散符号を同定することができる。ＳＣＨは２５６ｃｈｉｐの期間のみ送信する。隣接セルと識別できるため送信タイミングにオフセット（t offset）を付加している。
【０１３１】
ＳＣＨは、全サービスエリア共通の一次同期符号（ＰＳコード：Primary Synchronization Code）と二次同期符号（ＳＳコード：Secondary Synchronization Code）を送信している。ＰＳコードおよびＳＳコードは２５６ｃｈｉｐの符号であり、移動局はＰＳコードを受信することにより、スロット同期を確立することができ、ＳＳコードを検出して、フレーム同期をとると共に、受信しているサービスエリアが使用しているＳコード（Scrambling Code）が、Ｓコードグループのどれに属するかを判別することができる。
【０１３２】
移動局はＣＣＰＣＨを使って、受信しているサービスエリアのＳコードを同定する。ＣＣＰＣＨは全サービスエリアで同じＣコード（Channelization Code）を使用しているので、移動局はＳコードの種類を判別することができる。ＣＣＰＣＨではシステムおよびサービスエリアの情報が送信されている。
【０１３３】
図６に戻り、デュアル基地局は、ＣＤＭＡ−ＦＤＤ方式に基づく通信を行っている移動局に対し、適当なタイミングで制御信号を通じて、圧縮モード（compressed mode）にすること、およびＣＤＭＡ−ＴＤＤ方式に基づく下り共通チャネルの受信品質（本実施形態においては、ＣＣＰＣＨの受信レベルとする）を測定することを指示する（図６の(a)）。その際、ギャップ位置（通信の合間の位置）、ＣＤＭＡ−ＴＤＤ方式に基づく信号の送信周波数、ＳＳコードおよびＳコードを指示する。なお、ギャップ位置等について移動局が知っている場合には、これらの情報を送信しなくてもよい。
【０１３４】
移動局は、これらの指示を受信すると（(b)）、ＣＤＭＡ−ＦＤＤ方式に基づく通信の合間に、指示されたギャップ位置、周波数およびＳコードに基づいてＣＣＰＣＨ（の信号）を受信し、その受信レベルを測定する。
【０１３５】
まず、移動局は、圧縮モードにして、デュアル基地局が指示したギャップ位置、すなわちＣＣＰＣＨのスロットおよび前後のスロットの送信を停止する（(c)）。そして、デュアル基地局から指示された周波数に基づき、受信周波数をＣＤＭＡ−ＦＤＤ方式に基づく信号の周波数からＣＤＭＡ−ＴＤＤ方式に基づく信号の周波数に変更する（(d)）。そして、ギャップ位置でデュアル基地局が指示したＳコードにより（ＣＤＭＡ−ＴＤＤ方式に基づく）ＣＣＰＣＨの同期をとり、ＣＣＰＣＨを受信する（(g)）。ここでとった同期は、ハンドオーバ時まで保持する。なお、本実施形態において、ＣＣＰＣＨは、拡散符号（本実施形態においては、Ｓコードおよび全サービスエリアに共通のＣコード）により拡散されている。
【０１３６】
図６の例では、デュアル基地局が送信するＣＤＭＡ−ＦＤＤ方式に基づく信号とＣＤＭＡ−ＴＤＤ方式に基づく信号との間でタイミングの同期がとれている。ただし、タイミングの同期がとれていない場合には、両信号のタイミングオフセットをデュアル基地局から移動局に送信し、移動局がそれを用いてＣＣＰＣＨを受信し、ＣＤＭＡ−ＴＤＤ方式に基づく信号のフレーム同期をとるようにすることもできる。
【０１３７】
なお、移動局は、デュアル基地局からＣＣＰＣＨの（送信）周波数について指示を受けられない場合でも、サーチする周波数を変えながらＣＣＰＣＨ（の周波数）をサーチし、ＣＣＰＣＨに周波数を合わせることができる。
【０１３８】
また、移動局は、デュアル基地局からギャップ位置等の指示を受けられない場合でも、ＣＤＭＡ−ＴＤＤ方式に基づく信号のフレームの長さがわかっているような場合には、ＣＤＭＡ−ＴＤＤ方式に基づく信号のフレーム内でＣＣＰＣＨをサーチして、ＣＣＰＣＨを受信することが可能である。サーチは、フレーム内でサーチを行う位置（ギャップ位置）をずらしながら行う。
【０１３９】
なお、デュアル基地局が指示したＳコードによりＣＣＰＣＨが受信できない場合には、デュアル基地局が指示したＳＳコード（同期信号）を受信する（(f)）。上述のように、本実施形態において、デュアル基地局は、同期信号としてＰＳコードおよびＳＳコードを送信している。移動局は、ＰＳコードを受信することにより、スロット同期を確立することができる。確立した同期は、ハンドオーバ時まで保持することができる。また、ＳＳコードおよびＳコードは、ＳＳコードが定まればＳコードの候補が限定されるように定められている。したがって、移動局は、ＳＳコードを受信することができれば、ＣＣＰＣＨの拡散に用いられた可能性のあるＳコードは限定されるので、その限定されたＳコードの各々を用いてＣＣＰＣＨの受信を試みればよい（(g)）。
【０１４０】
デュアル基地局が指示したＳコードによりＣＣＰＣＨを受信できない場合に、デュアル基地局が指示したＳＳコードの受信から始めるのではなく、ＰＳコードの受信から始めるようにしてもよい。
【０１４１】
また、移動局は、デュアル基地局からＳＳコードおよびＳコードの指示を受けられない場合でも、ＣＣＰＣＨを受信することが可能である。本実施形態においては、ＰＳコードは１種類のみを用いており、移動局はこのＰＳコードを知っている。したがって、移動局は、ＰＳコードを受信することができれば（(e)）、ＳＳコードの送信タイミングがわかるので、全てのＳＳコードについて受信を試みればよい（(f)）。ＳＳコードを受信できれば、Ｓコードは限定されるので、各Ｓコードを用いてＣＣＰＣＨの受信を試みればよい（(g)）。
【０１４２】
基地局は、ＰＳコードおよびＳＳコードに関するタイミング（ギャップ位置、タイミングオフセット等）および周波数についての情報を移動局に送信するようにすることができる。
【０１４３】
移動局は、ＣＣＰＣＨを受信すると、その受信レベルを測定する（(h)）。そして、受信周波数をＣＤＭＡ−ＴＤＤ方式に基づく信号の周波数からＣＤＭＡ−ＦＤＤ方式に基づく信号の周波数に変更し（(i)）、デュアル基地局に測定した受信レベルを報告する（(j)）。
【０１４４】
デュアル基地局は、受信レベルの報告を受信すると（(k)）、該受信レベルが所定の条件を満たすか否かを判断する（この判断は制御局で行ってもよい）。条件を満たす場合には、ハンドオーバ、すなわちＣＤＭＡ−ＦＤＤ方式に基づく通信からＣＤＭＡ−ＴＤＤ方式に基づく通信への切替を移動局に指示する（(m)）。その際、送信／受信スロットおよびＣコードを指示する。移動局は、ハンドオーバの指示を受信すると（(n)）、ＣＤＭＡ−ＴＤＤ方式に基づく信号の周波数に変更し、所定のスロットおよびＣコードで送受信を行う（(o)）。その際、ハンドオーバの終了報告を行う（(p)）。
【０１４５】
本実施形態においては、同期をとった後にその同期をハンドオーバ時まで保持している（(l)）。ただし、タイミングの同期はずれる可能性もあるので、保持しているタイミングで受信できない場合には、その前後で同期を試みることが考えられる。
【０１４６】
ＣＣＰＣＨの受信レベルの測定は、１回のギャップで終了しない場合には、複数のフレームに渡り圧縮モードを継続して行ってもよい。また、同期保持のため、測定終了後も圧縮モードを継続するようにしてもよい。また、周期的に圧縮モードを設けてもよい。
【０１４７】
次に、ＣＤＭＡ−ＦＤＤ方式に基づく通信からＣＤＭＡ−ＴＤＤ方式に基づく通信に切り替える場合の、個別基地局（ＣＤＭＡ−ＦＤＤ方式のみによりサービスを提供する個別基地局、例えば図２の基地局２６）と移動局との間のやりとりの例について説明する。
【０１４８】
今、個別基地局と移動局とがＣＤＭＡ−ＦＤＤ方式に基づく通信を行っているものとする。個別基地局は、ＣＤＭＡ−ＴＤＤ方式に基づく通信は行わないので、当初、ＣＤＭＡ−ＴＤＤ方式に基づく信号（ＣＣＰＣＨ、ＰＳコード、ＳＳコード等）の周波数、タイミングおよび符号に関する情報は有していない。ただし、後述するように、個別基地局から周波数、タイミングおよび符号に関する情報が送信されてくることがある。また、個別基地局の置局時に周辺のサービスエリアで送信されるＣＤＭＡ−ＴＤＤ方式に基づく信号の周波数、タイミングおよび符号に関する情報をその個別基地局に入力してもよい。また、周辺のサービスエリアで送信されるＣＤＭＡ−ＴＤＤ方式に基づく信号の周波数、タイミングおよび符号に関する情報を制御局が個別基地局に通知するようにしてもよい。
【０１４９】
したがって、個別基地局は、適当なタイミングで制御信号を通じて移動局に対し、圧縮モードにすること、およびＣＣＰＣＨの受信レベルを測定することを指示するが、周波数、ギャップ位置、ＳＳコード、Ｓコード等については情報がある場合にのみ送信する。
【０１５０】
移動局は、これらの指示を受信すると、ＣＤＭＡ−ＦＤＤ方式に基づく通信の合間に、ＣＣＰＣＨを受信し、その受信レベルを測定する。
【０１５１】
まず、移動局は、圧縮モードにして、ＣＤＭＡ−ＴＤＤ方式に基づく信号（ＣＣＰＣＨ）に周波数を合わせる。
【０１５２】
ＣＣＰＣＨの周波数について指示がある場合には、それに基づいて周波数を合わせることを試みる。周波数を合わせられない場合や、周波数の指示を受けられなかった場合には、サーチする周波数を変えながらＣＣＰＣＨ（の周波数）をサーチし、ＣＣＰＣＨに周波数を合わせることができる。
【０１５３】
また、ギャップ位置等について指示がある場合には、それらに基づいてＣＣＰＣＨの受信を試みる。ＣＣＰＣＨを受信できなかった場合や、ギャップ位置等の指示を受けられなかった場合には、ＣＤＭＡ−ＴＤＤ方式に基づく信号のフレーム内でＣＣＰＣＨをサーチして、ＣＣＰＣＨを受信する。個別基地局のＣＤＭＡ−ＦＤＤ方式に基づく信号と、別の個別基地局のＣＤＭＡ−ＴＤＤ方式に基づく信号とでは同期がとれていないのが一般的である。ここで、移動局は、ＣＤＭＡ−ＴＤＤ方式に基づく信号について、ＣＤＭＡ−ＦＤＤ方式に基づく信号のフレーム内の所定の位置に対応する位置を最初にサーチするようにすることができる。例えば、ＣＤＭＡ−ＦＤＤ方式に基づく信号のフレーム長とＣＤＭＡ−ＴＤＤ方式に基づく信号のフレーム長とが同一であり、フレーム内の最初のスロットにＣＣＰＣＨが存在する可能性が高いとわかっているような場合には、両信号の同期がとれていることもあり得るので、ＣＤＭＡ−ＴＤＤ方式に基づく信号について、ＣＤＭＡ−ＦＤＤ方式に基づく信号のフレーム内の所定の位置（最初のスロット）に対応する位置を最初にサーチするようにすることが考えられる。
【０１５４】
移動局は、Ｓコード等について指示がある場合には、それらに基づいてＣＣＰＣＨの受信を試みる。ＣＣＰＣＨを受信できなかった場合や、Ｓコード等の指示を受けられなかった場合には、ＰＳコードやＳＳコードの受信から始めることができる。
【０１５５】
移動局は、ＣＣＰＣＨを受信して、その受信レベルを測定し、個別基地局に報告する。個別基地局は、受信レベルの報告を受信すると、該受信レベルが所定の条件を満たすか否かを判断する。条件を満たす場合には、ハンドオーバ、すなわちＣＤＭＡ−ＦＤＤ方式に基づく通信からＣＤＭＡ−ＴＤＤ方式に基づく通信への切替を移動局に指示する。その際、送信／受信スロットおよびＣコードを指示する。移動局は、ハンドオーバの指示を受信すると、ＣＤＭＡ−ＴＤＤ方式に基づく信号の周波数に変更し、所定のスロットおよびＣコードで送受信を行う。
【０１５６】
移動局は、例えば受信レベルの報告の際に、ＣＤＭＡ−ＴＤＤ方式に基づく信号の周波数に関する情報、タイミングに関する情報（例えば、ギャップ位置に関する情報）および符号に関する情報（例えば、Ｓコードに関する情報）を個別基地局に送信する。これにより、個別基地局は受信した情報を次回から移動局に提供することができる。移動局からは同じ種類の情報について異なる内容が送信されてくることが考えられる。例えば、Ｓコードに関する情報について異なる内容が送信されてくることが考えられる。そのような場合には、個別基地局が受信した回数が多いものが正しい可能性が高いと考えて、受信回数により順位付けをして移動局に送信するようにすることができる。本実施形態においては、近接する一群のサービスエリア（２以上の近接するサービスエリア）内で、ＳＳコードを同一にしている。したがって、基地局から移動局にＳＳコードおよびＳコードを知らせる場合に、Ｓコードが間違っていたとしても、ＳＳコードは正しい可能性が高い。また、個別基地局は、複数の移動局から送信されてきたＳコードは異なるが、ＳＳコードは同一であるような場合には、ＳＳコードのみを移動局に知らせるようにすることもできる。
【０１５７】
以上では、個別基地局が、移動局が送信した周波数に関する情報、タイミングに関する情報および符号に関する情報を受信し、その後移動局にそれらの情報を送信することについて説明したが、デュアル基地局についても、移動局が送信した周波数に関する情報、タイミングに関する情報および符号に関する情報を受信し、その後移動局にそれらの情報を送信するようにすることもできる。
【０１５８】
図８は、ＣＤＭＡ−ＴＤＤ方式に基づく通信からＣＤＭＡ−ＦＤＤ方式に基づく通信に切り替える場合の、デュアル基地局と移動局との間のやりとりの例を示す図である。
【０１５９】
今、デュアル基地局と移動局とがＣＤＭＡ−ＴＤＤ方式に基づく通信を行っているものとする。デュアル基地局は、随時、ＣＤＭＡ−ＦＤＤ方式に基づく信号の送信も行っており、その中には下り共通チャネルが含まれる。
【０１６０】
図９は、デュアル基地局が送信するＣＤＭＡ−ＦＤＤ方式に基づく下り共通チャネルの例を示す図である。本実施形態において、デュアル基地局は、ＣＤＭＡ−ＦＤＤ方式に基づく下り共通チャネルとして、同期チャネル（ＳＣＨ）、共通パイロットチャネル（ＣＰＩＣＨ：Common PIlot CHannel）、および共通制御チャネル（ＣＣＰＣＨ）を送信している。ＣＤＭＡ−ＴＤＤ方式に基づく下り共通チャネルは、１フレーム中の１スロットにおいて送信されているのに対し、ＣＤＭＡ−ＦＤＤ方式に基づく下り共通チャネルは、１フレーム中の全スロットにおいて送信されている。
【０１６１】
移動局は、これらの下り共通チャネルを受信して、下り信号の同期をとり、拡散符号を同定することができる。ＳＣＨには一次同期チャネル（ＰＳＣＨ：Primary SCH）および二次同期チャネル（ＳＳＣＨ：Secondary SCH）があり、最初の２５６ｃｈｉｐの期間のみ送信する。この間ＣＣＰＣＨは送信を停止する。
【０１６２】
ＰＳＣＨは、全サービスエリア共通の一次同期符号（ＰＳコード）を送信している。ＰＳコードは２５６ｃｈｉｐ周期符号であり、移動局はこの符号を受信することにより、スロット同期を確立することができる。
【０１６３】
ＳＳＣＨは、ＰＳＣＨと同じタイミングで６４種類の二次同期符号（ＳＳコード）を送信している。移動局はＳＳコードを検出して、フレーム同期をとると共に、受信しているサービスエリアが使用しているＳコードが、６４種類のＳコードグループのどれかを判別することができる。
【０１６４】
移動局はＣＰＩＣＨを使って、受信しているサービスエリアのＳコードを同定する。ＣＰＩＣＨは全サービスエリアで同じＣコードを使用しているので、移動局はＳコードの種類を判別することができる。ＣＰＩＣＨ受信後、ＣＣＰＣＨを受信する。ＣＣＰＣＨではシステムおよびサービスエリアの情報が送信されている。
【０１６５】
図８に戻り、デュアル基地局は、ＣＤＭＡ−ＴＤＤ方式に基づく通信を行っている移動局に対し、適当なタイミングで制御信号を通じて、ＣＤＭＡ−ＦＤＤ方式に基づく信号中のＣＰＩＣＨの受信レベルを測定することを指示する（図８の(a)）。その際、ＣＤＭＡ−ＦＤＤ方式に基づく信号の送信周波数、ＳＳコードおよびＳコードを指示する。なお、送信周波数等について移動局が知っている場合には、これらの情報を送信しなくてもよい。
【０１６６】
移動局は、これらの指示を受信すると（(b)）、ＣＤＭＡ−ＴＤＤ方式に基づく通信の合間に、指示された周波数およびＳコードに基づいてＣＰＩＣＨを受信し、その受信レベルを測定する。
【０１６７】
図８に示すように、ＣＤＭＡ−ＴＤＤ方式に基づく信号とＣＤＭＡ−ＦＤＤ方式に基づく信号との間でタイミングの同期がとれている場合には、ＣＤＭＡ−ＴＤＤ方式に基づく信号と同様のタイミングでＣＤＭＡ−ＦＤＤ方式に基づく信号を受信すればよい。両信号のタイミングの同期がとれていない場合には、両信号のタイミングオフセットをデュアル基地局から移動局に送信し、移動局がそれを用いてＣＰＩＣＨを受信するようにすることができる。ＣＰＩＣＨの受信は、デュアル基地局から指示された周波数に基づき、受信周波数をＣＤＭＡ−ＴＤＤ方式に基づく信号の周波数からＣＤＭＡ−ＦＤＤ方式に基づく信号の周波数に変更してから行う（(c)）。デュアル基地局が指示したＳコードにより（ＣＤＭＡ−ＦＤＤ方式に基づく）ＣＰＩＣＨの同期をとり、ＣＰＩＣＨを受信する（(f)）。ここでとった同期は、ハンドオーバ時まで保持する。
【０１６８】
なお、移動局は、デュアル基地局からＣＰＩＣＨの（送信）周波数について指示を受けられない場合でも、サーチする周波数を変えながらＣＰＩＣＨ（の周波数）をサーチし、ＣＰＩＣＨに周波数を合わせることができる。
【０１６９】
また、移動局は、デュアル基地局からタイミングオフセットの指示を受けられない場合でも、ＣＤＭＡ−ＦＤＤ方式に基づく信号のフレームの長さがわかっているような場合には、ＣＤＭＡ−ＦＤＤ方式に基づく信号をサーチして、ＣＰＩＣＨを受信することが可能である。サーチは、フレーム内でサーチを行う位置をずらしながら行う。例えば、フレームの先頭と仮定する位置をずらしながら行う。
【０１７０】
なお、デュアル基地局が指示したＳコードによりＣＰＩＣＨが受信できない場合には、デュアル基地局が指示したＳＳコードを受信する（(e)）。移動局は、ＳＳコードを受信することができれば、ＣＰＩＣＨの拡散に用いられた可能性のあるＳコードは限定されるので、その限定されたＳコードの各々を用いてＣＰＩＣＨの受信を試みればよい（(f)）。
【０１７１】
デュアル基地局が指示したＳコードによりＣＰＩＣＨを受信できない場合に、デュアル基地局が指示したＳＳコードの受信から始めるのではなく、ＰＳコードの受信から始めるようにしてもよい。
【０１７２】
また、移動局は、デュアル基地局からＳＳコードおよびＳコードの指示を受けられない場合でも、ＣＰＩＣＨを受信することが可能である。移動局は、ＰＳコードを受信することができれば（(d)）、送信されているＳＳコードは限定されるので、その限定されたＳＳコードの各々について受信を試みればよい（(e)）。ＳＳコードを受信できれば、Ｓコードは限定されるので、各Ｓコードを用いてＣＰＩＣＨの受信を試みればよい（(f)）。
【０１７３】
基地局は、ＰＳコードおよびＳＳコードに関するタイミング（ギャップ位置、タイミングオフセット等）および周波数についての情報を移動局に送信するようにすることができる。
【０１７４】
移動局は、ＣＤＭＡ−ＦＤＤ方式に基づく信号に含まれるＣＰＩＣＨを受信すると、その受信レベルを測定する（(g)）。本実施形態においては、ＣＤＭＡ−ＴＤＤ方式に基づく通信の合間に、ＣＰＩＣＨを受信し、その受信レベルを測定している。すなわち部分相関により、ＣＰＩＣＨを受信し、その受信レベルを測定している。
【０１７５】
ＣＰＩＣＨの受信は、例えば、ＣＤＭＡ−ＴＤＤ方式に基づく通信に用いているスロットおよび（余裕を見て）その前後１スロットを除いた残りのスロットで行うことが考えられる。スロットとスロットとの間のガードタイム内で周波数変更送受信が可能であれば、前後１スロットもＣＰＩＣＨの受信に用いることができる。また、ＣＤＭＡ−ＴＤＤ方式に基づく信号の送信を行うスロットでも、ＣＰＩＣＨの受信を行うようにしてもよい。
【０１７６】
ＣＤＭＡ−ＴＤＤ方式に基づく通信に多くのスロットを用いているような場合には、受信レベルの測定の際に、ＣＤＭＡ−ＴＤＤ方式に基づく通信で用いるスロットの数を減らす、すなわち通信速度を下げるようにすることができる。また、ＣＤＭＡ−ＴＤＤ方式に基づく通信に用いるスロットを変えながら、受信レベルを測定するようにすることもできる。
【０１７７】
受信レベルの測定後、移動局は、受信周波数をＣＤＭＡ−ＦＤＤ方式に基づく信号の周波数からＣＤＭＡ−ＴＤＤ方式に基づく信号の周波数に変更し（(h)）、デュアル基地局に測定した受信レベルを報告する（(i)）。
【０１７８】
デュアル基地局は、受信レベルの報告を受信すると（(j)）、該受信レベルが所定の条件を満たすか否かを判断する（この判断は制御局で行ってもよい）。条件を満たす場合には、ハンドオーバ、すなわちＣＤＭＡ−ＴＤＤ方式に基づく通信からＣＤＭＡ−ＦＤＤ方式に基づく通信への切替を移動局に指示する（(l)）。その際、Ｃコードを指示する。移動局は、ハンドオーバの指示を受信すると（(m)）、ＣＤＭＡ−ＦＤＤ方式に基づく信号の周波数に変更し、所定のＣコードで送受信を行う（(n)）。その際、ハンドオーバの終了報告を行う（(o)）。
【０１７９】
本実施形態においては、同期をとった後にその同期をハンドオーバ時まで保持している（(k)）。ただし、タイミングの同期はずれる可能性もあるので、保持しているタイミングで受信できない場合には、その前後で同期を試みることが考えられる。周波数についても同様である。
【０１８０】
ＣＰＩＣＨの受信レベルの測定は、複数のフレームに渡って行ってもよい。
【０１８１】
次に、ＣＤＭＡ−ＴＤＤ方式に基づく通信からＣＤＭＡ−ＦＤＤ方式に基づく通信に切り替える場合の、個別基地局（ＣＤＭＡ−ＴＤＤ方式のみによりサービスを提供する個別基地局、例えば図２の基地局２４、２５）と移動局との間のやりとりの例について説明する。
【０１８２】
今、個別基地局と移動局とがＣＤＭＡ−ＴＤＤ方式に基づく通信を行っているものとする。個別基地局は、ＣＤＭＡ−ＦＤＤ方式に基づく通信は行わないので、当初、ＣＤＭＡ−ＦＤＤ方式に基づく信号（ＣＰＩＣＨ、ＰＳコード、ＳＳコード等）のタイミングおよび符号に関する情報は有していない。ただし、後述するように、個別基地局から周波数、タイミングおよび符号に関する情報が送信されてくることがある。また、個別基地局の置局時に周辺のサービスエリアで送信されるＣＤＭＡ−ＦＤＤ方式に基づく信号の周波数、タイミングおよび符号に関する情報をその個別基地局に入力してもよい。また、周辺のサービスエリアで送信されるＣＤＭＡ−ＦＤＤ方式に基づく信号の周波数、タイミングおよび符号に関する情報を制御局が個別基地局に通知するようにしてもよい。
【０１８３】
したがって、個別基地局は、適当なタイミングで制御信号を通じて移動局に対し、ＣＤＭＡ−ＦＤＤ方式に基づく信号中のＣＰＩＣＨの受信レベルを測定することを指示するが、周波数、ＳＳコード、Ｓコード等については情報がある場合にのみ送信する。
【０１８４】
移動局は、これらの指示を受信すると、ＣＤＭＡ−ＴＤＤ方式に基づく通信の合間に、ＣＰＩＣＨを受信し、その受信レベルを測定する。
【０１８５】
まず、移動局は、ＣＤＭＡ−ＦＤＤ方式に基づく信号（ＣＰＩＣＨ）に周波数を合わせる。
【０１８６】
ＣＰＩＣＨの周波数について指示がある場合には、それに基づいて周波数を合わせることを試みる。周波数を合わせられない場合や、周波数の指示を受けられなかった場合には、サーチする周波数を変えながらＣＰＩＣＨ（の周波数）をサーチし、ＣＰＩＣＨに周波数を合わせることができる。
【０１８７】
また、タイミングオフセットについて指示がある場合には、それに基づいてＣＰＩＣＨの受信を試みる。ＣＰＩＣＨを受信できなかった場合や、タイミングオフセットの指示を受けられなかった場合には、ＣＤＭＡ−ＦＤＤ方式に基づく信号をサーチして、ＣＰＩＣＨを受信する。個別基地局のＣＤＭＡ−ＴＤＤ方式に基づく信号と、別の個別基地局のＣＤＭＡ−ＦＤＤ方式に基づく信号とでは同期がとれていないのが一般的である。
【０１８８】
移動局は、Ｓコード等について指示がある場合には、それらに基づいてＣＰＩＣＨの受信を試みる。ＣＰＩＣＨを受信できなかった場合や、Ｓコード等の指示を受けられなかった場合には、ＰＳコードやＳＳコードの受信から始めることができる。
【０１８９】
移動局は、ＣＰＩＣＨを受信して、その受信レベルを測定し、個別基地局に報告する。個別基地局は、受信レベルの報告を受信すると、該受信レベルが所定の条件を満たすか否かを判断する。条件を満たす場合には、ハンドオーバ、すなわちＣＤＭＡ−ＴＤＤ方式に基づく通信からＣＤＭＡ−ＦＤＤ方式に基づく通信への切替を移動局に指示する。その際、Ｃコードを指示する。移動局は、ハンドオーバの指示を受信すると、ＣＤＭＡ−ＦＤＤ方式に基づく信号の周波数に変更し、所定のＣコードで送受信を行う。
【０１９０】
移動局は、例えば受信レベルの報告の際に、ＣＤＭＡ−ＦＤＤ方式に基づく信号の周波数に関する情報、タイミングに関する情報（例えば、タイミングオフセットに関する情報）および符号に関する情報（例えば、Ｓコードに関する情報）を個別基地局に送信する。これにより、個別基地局は受信した情報を次回から移動局に提供することができる。移動局からは同じ種類の情報について異なる内容が送信されてくることが考えられる。例えば、Ｓコードに関する情報について異なる内容が送信されてくることが考えられる。そのような場合には、個別基地局が受信した回数が多いものが正しい可能性が高いと考えて、受信回数により順位付けをして移動局に送信するようにすることができる。本実施形態においては、近接する一群のサービスエリア（２以上の近接するサービスエリア）内で、ＳＳコードを同一にしている。したがって、基地局から移動局にＳＳコードおよびＳコードを知らせる場合に、Ｓコードが間違っていたとしても、ＳＳコードは正しい可能性が高い。また、個別基地局は、複数の移動局から送信されてきたＳコードは異なるが、ＳＳコードは同一であるような場合には、ＳＳコードのみを移動局に知らせるようにすることもできる。
【０１９１】
以上では、個別基地局が、移動局が送信した周波数に関する情報、タイミングに関する情報および符号に関する情報を受信し、その後移動局にそれらの情報を送信することについて説明したが、デュアル基地局についても、移動局が送信した周波数に関する情報、タイミングに関する情報および符号に関する情報を受信し、その後移動局にそれらの情報を送信するようにすることもできる。
【０１９２】
また、以上の本実施形態の説明では、移動局は、ＣＰＩＣＨの受信レベルを測定して報告しているが、例えば、ＣＰＩＣＨの受信ＳＩＲ（Signal to Interference Ratio）を測定して報告するようにすることもできる。基地局は、受信ＳＩＲを受信すると、該受信ＳＩＲに基づき、ハンドオーバ指示を出すか否かを判断する。また、例えば、（受信した）ＣＰＩＣＨの誤り率を測定して報告するようにすることもできる。基地局は、誤り率を受信すると、該誤り率に基づき、ハンドオーバ指示を出すか否かを判断する。誤り率としては、ビット誤り率、フレーム誤り率等が考えられる。
【０１９３】
さらに、本実施形態において、移動局は、ＣＰＩＣＨの受信レベルを測定して報告しているが、ＣＰＩＣＨの代わりに、ＣＣＰＣＨの受信レベルを測定して報告するようにすることもできる。また、ＰＳＣＨまたはＳＳＣＨの受信レベルを測定して報告するようにすることもできる。
【０１９４】
【発明の効果】
以上説明したように本発明によれば、移動通信システムにおいて、ＣＤＭＡ−ＦＤＤ方式に基づくサービスエリアのチャネルと、ＣＤＭＡ−ＴＤＤ方式に基づくサービスエリアのチャネルとの間の適切な切替（ハンドオーバ）処理を実現することができる。
【図面の簡単な説明】
【図１】移動通信システムの例を示す図である。
【図２】移動通信システムの別の例を示す図である。
【図３】１つのセルを６つのセクタに分けた例を示す図である。
【図４】移動局の構成例を示すブロック図である。
【図５】基地局の構成例を示すブロック図である。
【図６】ＣＤＭＡ−ＦＤＤ方式に基づく通信からＣＤＭＡ−ＴＤＤ方式に基づく通信に切り替える場合の、デュアル基地局と移動局との間のやりとりの例を示す図である。
【図７】デュアル基地局が送信するＣＤＭＡ−ＴＤＤ方式に基づく下り共通チャネルの例を示す図である。
【図８】ＣＤＭＡ−ＴＤＤ方式に基づく通信からＣＤＭＡ−ＦＤＤ方式に基づく通信に切り替える場合の、デュアル基地局と移動局との間のやりとりの例を示す図である。
【図９】デュアル基地局が送信するＣＤＭＡ−ＦＤＤ方式に基づく下り共通チャネルの例を示す図である。
【符号の説明】
１１、１２、１１０  移動局
２１〜２６、１２０  基地局
３１〜３５  ＣＤＭＡ−ＴＤＤ方式に基づくサービスエリア
４１〜４３、４６  ＣＤＭＡ−ＦＤＤ方式に基づくサービスエリア
５１、５２  制御局
６０  セル
６１〜６６  セクタ
１１１、１２１  制御部
１１２、１２２  記憶部
１１３、１２３、１２４  通信部
１１５、１２５  アンテナ
１１６  レベル測定部
【図１】
0004004726.tif 000002
【図２】
0004004726.tif 000003
【図３】
0004004726.tif 000004
【図４】
0004004726.tif 000005
【図５】
0004004726.tif 000006
【図６】
0004004726.tif 000007
【図７】
0004004726.tif 000008
【図８】
0004004726.tif 000009
【図９】
0004004726.tif 000010